(57)【要約】【課題】昇降路内に設置された昇降路内機器の保守点検が乗りかご内から効率よく容易に行え、乗りかごの意匠を損なうことが少ないエレベータ装置を提供する。【解決手段】昇降路１と、側面を形成する側板を備え昇降路１の内部を昇降する乗りかご２と、昇降路１の内部に設置された昇降路内機器４とを備えるエレベータ装置において、乗りかご２は、上下方向に延在するスライドレールを備え、側板のうち昇降路内機器と対向する位置にある側板の少なくとも一部が、スライドレールに沿って移動可能なスライド部３であり、スライド部３が移動すると、乗りかご２の側面に開放部１７が形成される。【選択図】図２
2015051815.tif 000002
【特許請求の範囲】
【請求項１】
昇降路と、側面を形成する側板を備え前記昇降路の内部を昇降する乗りかごと、前記昇降路の内部に設置された昇降路内機器とを備えるエレベータ装置において、
前記乗りかごは、
上下方向に延在するスライドレールを備え、
前記側板のうち前記昇降路内機器と対向する位置にある側板の少なくとも一部が、前記スライドレールに沿って移動可能なスライド部であり、
前記スライド部が移動すると、前記乗りかごの側面に開放部が形成される、
ことを特徴とするエレベータ装置。
【請求項２】
請求項１に記載のエレベータ装置において、
前記スライド部は、電気錠を備え、
前記電気錠は、前記スライド部と、前記スライド部に隣接する前記側板とを固定するエレベータ装置。
【請求項３】
請求項２に記載のエレベータ装置において、
前記乗りかごは、前記電気錠に電源を供給するバッテリーを備えるエレベータ装置。
【請求項４】
請求項１に記載のエレベータ装置において、
前記乗りかごは、前記スライド部が上方に移動すると側面に前記開放部が形成されるエレベータ装置。
【請求項５】
請求項１に記載のエレベータ装置において、
前記乗りかごは、前記スライド部が下方に移動すると側面に前記開放部が形成されるエレベータ装置。
【請求項６】
請求項１に記載のエレベータ装置において、
前記スライド部は、前記昇降路内機器と対向する位置にある前記側板の一部であり、
前記スライドレールは、この側板と前記スライド部との間に設けられるエレベータ装置。
【発明の詳細な説明】
【技術分野】
【０００１】
本発明は、エレベータ装置に関する。
【背景技術】
【０００２】
エレベータ装置は、乗りかごと、乗りかごが昇降する昇降路を備え、昇降路内には、制御盤や補助盤等の昇降路内機器が設置されている。エレベータ装置は、定期検査や保守点検をする必要があり、昇降路内機器の保守点検は、設備の簡略化や作業員の安全性の確保のために、乗りかご内から行うのが望ましい。
【０００３】
特許文献１には、エレベータ制御盤内に納められている各種保守対象機器に乗りかご内から容易にアクセスでき、また、エレベータ制御盤の保守点検作業を効率よく、且つ適確にできるエレベータ装置が開示されている。このエレベータ装置は、エレベータ制御盤と対向する乗りかご側面壁に設けられた点検口と、保守点検作業時、点検口を開錠してエレベータ制御盤本体を乗りかご内に移動させるためのスライドレール機構とを備える。
【０００４】
特許文献２には、昇降路内の制御盤、補助盤等の昇降路内機器をかご内から安全に点検作業を実施することを可能とし、且つかごの意匠を損なわずにエレベータの保守構造を実現可能としたエレベータが開示されている。このエレベータは、かごの片側部の側板に設けられた開口部と、開口部を閉じる位置及び開口部を開く位置を取り、片側部の側板に設けられたかご内操作盤とを備え、かご内操作盤は通常運転時には閉位置で呼び登録を行い、保守作業時には開位置を取り、開口部から保守作業範囲内の昇降路機器が点検される。
【先行技術文献】
【特許文献】
【０００５】
【特許文献１】特開２００７−３１１０９号公報
【特許文献２】特開２０１１−６８４２８号公報
【発明の概要】
【発明が解決しようとする課題】
【０００６】
特許文献１に記載されているような従来技術では、乗りかごの側板（乗りかご側面壁）に開口（点検口）を設ける必要があり、この開口によって乗りかごの意匠が損なわれるという課題がある。
【０００７】
特許文献２に記載されているような従来技術では、開口部を開閉するかご内操作盤（補助操作盤）を利用して昇降路内機器を点検する構成を取るので、乗りかごにかご内操作盤（補助操作盤）が設置されない場合には昇降路内機器を点検できないという課題がある。さらに、開口部の大きさがかご内操作盤の大きさに制限され、開口部が開いている状態では安全上乗りかごを移動できないために、１回あたりに点検できる範囲が開口部の大きさ（すなわち、かご内操作盤の大きさ）に制限される。このため、開口部が小さいと点検に時間を費やし、効率よく保守点検を行えないという課題がある。
【０００８】
本発明は、上記のような課題を解決するためになされたものであり、昇降路内に設置された昇降路内機器の保守点検が乗りかご内から効率よく容易に行え、乗りかごの意匠を損なうことが少ないエレベータ装置を提供することを目的とする。
【課題を解決するための手段】
【０００９】
本発明によるエレベータ装置は、次のような特徴を備える。昇降路と、側面を形成する側板を備え前記昇降路の内部を昇降する乗りかごと、前記昇降路の内部に設置された昇降路内機器とを備えるエレベータ装置において、前記乗りかごは、上下方向に延在するスライドレールを備え、前記側板のうち前記昇降路内機器と対向する位置にある側板の少なくとも一部が、前記スライドレールに沿って移動可能なスライド部であり、前記スライド部が移動すると、前記乗りかごの側面に開放部が形成される。
【発明の効果】
【００１０】
本発明によると、昇降路内に設置された昇降路内機器の保守点検が乗りかご内から効率よく容易に行え、乗りかごの意匠を損なうことが少ないエレベータ装置を提供することができる。
【図面の簡単な説明】
【００１１】
【図１】本発明の実施例によるエレベータ装置の全体を示す模式図である。
【図２】本発明の実施例によるエレベータ装置の乗りかごの正面断面図である。
【図３】本発明の実施例によるエレベータ装置の乗りかごの平面図である。
【図４】図３に示した部分Ａを拡大して示す部分断面図である。
【発明を実施するための形態】
【００１２】
本発明によるエレベータ装置では、乗りかごの側板のうち、昇降路内に設置された昇降路内機器と対向する位置にある側板は、少なくとも一部が、上下方向へ移動可能である。側板の少なくとも一部（スライド部）が上方又は下方へ移動すると、乗りかごの側面の少なくとも一部が開放されて開放部が形成される。この開放部は、乗りかごの内部と昇降路の内部とを連通し、作業員は、この開放部を利用することで、乗りかご内から昇降路内機器の保守点検を実施することができる。開放部は、スライド部が通常の位置（エレベータ装置の通常運転時の位置）から上方へ移動することにより形成してもよく、スライド部が通常の位置から下方へ移動することにより形成してもよい。
【００１３】
本発明によるエレベータ装置では、乗りかごの側板に開口部を設ける必要がないので、乗りかごの意匠を損なうことが少ない。さらに、側板の少なくとも一部（スライド部）が移動することにより形成される乗りかごの開放部は、スライド部の移動距離を変えることで、その大きさを変えることができる。したがって、乗りかごの開放部の大きさを変えることで、１回あたりに昇降路内機器を保守点検できる範囲を変えることができ、効率よく容易に昇降路内機器の保守点検を行うことができる。
【００１４】
以下、本発明の実施例によるエレベータ装置を、図１〜４を用いて説明する。なお、図１〜４において、同一の要素には同一の符号を付け、これらの要素についての繰り返しの説明は省略する。
【００１５】
図１は、本実施例によるエレベータ装置の全体を示す模式図である。エレベータ装置は、昇降路１と、主ロープ１５と、主ロープ１５の一端に連結された乗りかご２と、主ロープ１５の他端に連結された釣合おもり１３を備える。乗りかご２と釣合おもり１３は、主ロープ１５が移動すると、昇降路１の内部を昇降する。エレベータ装置の乗場には、乗場ドア１４が設けられる。乗りかご２は、乗りかごドア１６を備え、乗場で停止して乗場ドア１４と乗りかごドア１６が開くと、乗客の乗降や荷物の積み降ろしが行われる。昇降路１の内部には、制御盤や補助盤等の昇降路内機器４が設置されている。図１では、乗場ドア１４から昇降路１の内部を見て右側の昇降路１の内壁に、昇降路内機器４が設置されている。
【００１６】
本実施例によるエレベータ装置の乗りかご２は、後述するように、昇降路内機器４と対向する位置にある側板の一部（スライド部３）が上下方向へ移動可能であり、スライド部３が通常の位置（エレベータ装置の通常運転時の位置）から上方へ移動することにより、乗りかご２の側面の少なくとも一部が開放されて開放部が形成される。
【００１７】
図２は、本実施例によるエレベータ装置の乗りかご２の正面断面図である。図２では、乗場ドア１４（図１を参照）の位置から見た、昇降路１内の乗りかご２を示している。図１を用いて説明したように、昇降路１の内部には昇降路内機器４が設置されている。
【００１８】
乗りかご２は、乗りかご２の床面に立設され側面を形成する４つの側板、すなわち、乗りかごドア１６（図１を参照）を有する１つの側板（前面板）と、乗りかごドア１６と対向する１つの側板（背面板）と、これらの側板に隣接する２つの側板を備える。これら４つの側板のうち、昇降路内機器４と対向する位置にある側板は、スライド部３を備える。
【００１９】
スライド部３は、昇降路内機器４と対向する位置にある側板の一部であり（図１も参照）、上下方向へスライドして移動可能である。スライド部３が通常の位置（エレベータ装置の通常運転時の位置）から上方へ移動すると、乗りかご２の側面に開放部１７が形成される。開放部１７は、乗りかご２の内部と昇降路１の内部とを連通する。スライド部３は、通常の位置から下方へは移動せず、上方へ移動していない状態（開放部１７が形成されていない状態）では、下部が乗りかご２の床面に支持されている。なお、スライド部３は、昇降路内機器４と対向する位置にある側板の全体でもよく、この場合は、この側板の全体が上下方向へ移動可能である。
【００２０】
一般に、乗りかご２の１つの側板は、複数の板状部材から構成される。そこで、例えば、側板を構成する複数の板状部材のうち、１つの板状部材をスライド部３とすることができる。また、１つの側板が１つの板状部材から構成される場合には、この板状部材の一部をスライド部３としてもよく、この板状部材（すなわち、この側板の全体）をスライド部３としてもよい。
【００２１】
作業員５は、昇降路内機器４の保守点検を実施する際には、図２に示すように、スライド部３を上方へスライドさせて乗りかご２の側面の一部（または全体）を開放させ、形成された開放部１７を利用して乗りかご２の内部から昇降路内機器４を点検することができる。
【００２２】
次に、図３及び図４を参照して、本実施例によるエレベータ装置の具体的な構成について説明する。
【００２３】
図３は、本発明の実施例によるエレベータ装置の乗りかご２の平面図であり、昇降路１内の乗りかご２を上から見た図を示している。乗りかご２の側板のうち、昇降路内機器４と対向する位置にある側板１０は、上下方向へスライドして移動可能なスライド部３を有する。
【００２４】
乗りかご２は、上下方向に延在してスライド部３の移動を案内するスライドレール８を備える。スライドレール８は、乗りかご２の昇降の妨げにならないように、上端が乗りかご２の上端より上に位置せず、下端が乗りかご２の下端より下に位置しないように、側板１０に設けるのが好ましい。スライドレール８の長さを、乗りかご２の側板１０の高さ（上下方向の長さ）と等しくすることもできる。スライド部３は、スライドレール８に沿って上下方向へスライドして移動できる。なお、スライド部３が、昇降路内機器４と対向する位置にある側板１０の全体である場合には、スライドレール８は、側板１０に隣接する側板に設ける。
【００２５】
乗りかご２の内部には、保守点検用の操作盤６が設けられている。操作盤６の内部には、電気錠スイッチ１１とバッテリー１２が設けられている。電気錠スイッチ１１は、後述する電気錠７を施錠したり開錠したりするためのスイッチであり、作業員５により操作される。バッテリー１２については、後述する。
【００２６】
図４は、図３に示した部分Ａを拡大して示す部分断面図であり、乗りかご２のスライド部３を上から見た平面図である。図３でも示したように、昇降路内機器４と対向する位置にある側板１０の一部は、上下方向へスライドして移動可能なスライド部３である。
【００２７】
スライド部３は、作業員５が電気錠スイッチ１１（図３を参照）を操作することにより施錠したり開錠したりする電気錠７を備える。電気錠７は、施錠状態では、スライド部３が動かないように、スライド部３と、スライド部３に隣接する側板１０とを強固に固定する。電気錠７は、スライド部３と側板１０とを強固に固定することができれば、任意のものを用いることができる。図４に示した電気錠７は、かんぬきが矢印で示す方向に動いて、施錠したり開錠したりする。なお、スライド部３が、昇降路内機器４と対向する位置にある側板１０の全体である場合には、電気錠７は、スライド部３と側板１０（すなわちスライド部３）に隣接する側板とを強固に固定する。
【００２８】
エレベータ装置を通常に運転するときには、作業員５が電気錠７を施錠してスライド部３と側板１０とが強固に固定されるので、スライド部３は移動しない（乗りかご２の側面が開放されない）。
【００２９】
昇降路内機器４を保守点検するときには、作業員５は、電気錠７を開錠してスライド部３を移動可能な状態にし、スライド部３をスライドレール８に沿って上方へスライドさせて、乗りかご２の側面を開放させて開放部１７を形成する。スライド部３をスライドさせる距離は、形成された乗りかご２の開放部１７の大きさが、昇降路内機器４の保守点検を実施するのに必要な大きさとなるような距離とする。上方へスライドさせたスライド部３は、落下しないように、ストッパーなどの止め具（図示せず）で位置を固定する。このようにして、作業員５は、乗りかご２の内部から昇降路内機器４を点検可能である。
【００３０】
昇降路内機器４の保守点検が終了したら、作業員５は、乗りかご２の側面を開放しないように、スライド部３を下方へ移動させてエレベータ装置の通常運転時の位置に戻す。そして、電気錠７を施錠してスライド部３と側板１０とを固定する。
【００３１】
電気錠７に供給する電源は、エレベータ装置に供給する電源を用いることができる。停電時などでエレベータ装置に供給する電源を用いることができない場合には、バッテリー１２が電気錠７に電源を供給する。作業員５は、バッテリー１２からの電源を用いて電気錠７を開錠することで、上述したように点検作業を行うことができる。
【００３２】
また、バッテリー１２を備えることで、エレベータ装置の乗りかごに一般の乗客を乗せてサービスを行っている通常運転中に停電等が起きた際にも、誤って電子錠７を開錠してしまうことが防止でき、それにより一般の乗客が誤ってスライド部３を開放してしまうことも防止できる。
【００３３】
さらに、乗りかご２は、落下防止手摺９（図３、４を参照）を備えることができる。落下防止手摺９は、スライド部３がスライドして形成される開放部１７を横切るようにスライドレール８に設け、昇降路内機器４の保守点検時に作業員５が開放部１７から転落するのを防止する。
【００３４】
本実施例では、図３、４に示すように、スライドレール８は、側板１０とスライド部３との間（繋ぎ目）に設けている。このように、側板１０とスライド部３との繋ぎ目（すなわち、乗りかご２の側面の目地）にスライドレール８を設けると、この繋ぎ目を目立たなくすることができ、乗りかご２の意匠を損なわないようにすることができるので、より好ましい。ただし、スライドレール８の設置場所は、側板１０とスライド部３との繋ぎ目に限定されず、乗りかご２に求められる意匠に応じて、乗りかご２の側板の任意の位置に設けることができる。
【００３５】
本実施例では、図３に示すように、側板１０の水平方向の中央部分にスライド部３を設けている。しかし、スライド部３の位置はこれに限定されず、作業員５が乗りかご２の内部から昇降路内機器４を点検できる位置にスライド部３を設ければよい。
【００３６】
スライド部３の幅（水平方向の長さ）は、昇降路内機器４の幅より大きいのが好ましいが、これに限定されない。スライド部３の高さは、側板１０の高さと等しいのが好ましいが、これに限定されない。スライド部３の幅や高さは、昇降路内機器４の大きさや、昇降路内機器４の保守点検に必要な空間の大きさや、乗りかご２に求められる意匠に応じて定めることができる。
【００３７】
以上の実施例では、スライド部３は、通常の位置（エレベータ装置の通常運転時の位置）から上方へ移動して、乗りかご２の側面に開放部１７を形成する。スライド部３は、通常の位置から下方へ移動して、乗りかご２の側面に開放部１７を形成してもよい。スライド部３が下方へ移動して開放部１７を形成する場合には、スライド部３は、通常の位置から上方へは移動せず、下方へ移動していない状態（開放部１７が形成されていない状態）では、電気錠７で固定される他に、上部が乗りかご２の天井で支持されるようにすることもできる。また、スライド部３は、下方へ移動して開放部１７を形成している状態では、ストッパーなどの止め具で位置が固定される。このようにして、スライド部３の落下を防止できる。
【００３８】
さらに、スライド部３は、通常の位置（エレベータ装置の通常運転時の位置）から上方と下方の両方向へ移動可能であってもよい。この場合には、開放部１７は、スライド部３を上方へ移動させることによっても、下方へ移動させることによっても、形成できる。スライド部３の移動方向は、昇降路内機器４の設置位置に応じて決めることができる。
【００３９】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【符号の説明】
【００４０】
１…昇降路、２…乗りかご、３…スライド部、４…昇降路内機器、５…作業員、６…操作盤、７…電気錠、８…スライドレール、９…落下防止手摺、１０…昇降路内機器と対向する位置にある側板、１１…電気錠スイッチ、１２…バッテリー、１３…釣合おもり、１４…乗場ドア、１５…主ロープ、１６…乗りかごドア、１７…開放部。
【図１】
2015051815.tif 000003
【図２】
2015051815.tif 000004
【図３】
2015051815.tif 000005
【図４】
2015051815.tif 000006